(57)【要約】【課題】伝熱管内に付着したスライム等を洗浄により容易且つ迅速に除去すると共に、伝熱管から排出されたスライム等を容易且つ確実にしかも迅速に熱交換器外部へ排出し得るようにした蒸気生成装置を提供する。【解決手段】縦向きの伝熱管３１が収納された胴部２８と、蒸気生成時には伝熱管３１へ送給される雑排水が通ると共に、逆洗時には外部へ排出される雑排水やスライムが通るようにした下部蓋体３４と、蒸気生成時には胴部２８に導入された蒸気により伝熱管３１を介し加熱されて生成された蒸気が通ると共に、逆洗時には伝熱管３１へ送給される蒸気が通るようにした上部蓋体３７とを備え、下部蓋体３４内には、下部蓋体３４内周との間に所定の隙間Ｇが形成されるよう、通水孔が穿設されたバッフルプレート３６を設ける。【選択図】図１
2005274034.tif 000002
【特許請求の範囲】
【請求項１】
複数の縦向きの伝熱管が収納された胴部と、
該胴部の下部に設けられると共に、蒸気生成時には前記伝熱管へ送給される雑排水が通り、且つ逆洗時には外部へ排出される雑排水及びスライムが通るようにした下部蓋体と、  前記胴部の上部に設けられると共に、蒸気生成時には前記胴部に導入された蒸気により伝熱管を介し加熱されて生成された蒸気が通り、且つ逆洗時には伝熱管へ送給されてスライムを除去するための洗浄用の蒸気が通るようにした上部蓋体とを備え、 
前記下部蓋体内には、複数の通水孔が穿設されたバッフルプレートを設けたことを特徴とする蒸気生成装置。
【請求項２】
バッフルプレートと下部蓋体内周との間及び／又はバッフルプレートに、雑排水及び／又はスライムが通り得るようにした通水部を設けた請求項１記載の蒸気生成装置。
【請求項３】
上部蓋体内に、伝熱管で加熱されて生成された蒸気中の水分を除去するための水分離器を設けた請求項１又は２記載の蒸気生成装置。
【請求項４】
上部蓋体内の雑排水の水面高さを目視するための透視管を設けた請求項１、２又は３記載の蒸気生成装置。
【発明の詳細な説明】
【技術分野】
【０００１】
本発明は蒸気生成装置に関するものである。
【背景技術】
【０００２】
ホテル等では従来から節水のため、中水利用設備を設けて雨水を集め、集めた雨水を中水として水洗トイレ等で使用することが行なわれている。しかし、建築物が高層ホテルの場合には、屋上の床面積が少なく、建物全体の水使用量の多くの部分を雨水でまかなうには、雨水回収量が少なく有効ではない。又、雨水を中水利用設備で使用する場合には、浴槽水等の雑排水は再利用せず放流しているため、資源の有効利用を図ることができない。
【０００３】
そこで、本件出願人は上記問題点を解決すべく、手洗器で上水を使用することにより発生した雑排水や浴槽で中水を使用することにより発生した雑排水を中水として使用し得るようにするため、浴槽及び／又は手洗器から排出された雑排水を貯留する雑排水貯水槽と、該雑排水貯水槽からの雑排水を蒸気ボイラからの蒸気により加熱して蒸気を発生させる蒸気生成装置と、該蒸気生成装置で発生された蒸気及び／又は前記蒸気ボイラからの蒸気の熱を熱源とする吸収式冷凍機及び／又は貯湯槽とを備えた中水利用設備について、本件と同日付けで特許出願を行なった。
【０００４】
斯かる中水利用設備においては、手洗器や浴室からの雑排水及び蒸気ボイラからの高温、高圧の蒸気を蒸気生成装置へ送給し、雑排水を高温、高圧の蒸気により加熱し蒸発させて、低温、低圧の蒸気を発生させ、該蒸気を吸収式冷凍機や貯湯槽で使用して放熱させることにより、凝縮水を生成させ、該凝縮水を還水として蒸気ボイラで加熱、蒸発させて高温、高圧の蒸気を発生させ、該蒸気を前記蒸気生成装置へ送給して雑排水を加熱、蒸発し、放熱させて凝縮水を生成させ、該凝縮水を中水として浴槽や水洗トイレで使用するようにしている。
【０００５】
而して、斯かる中水利用設備に適用する蒸気生成装置としては、例えば図７、図８に示すものがある。図中、ａは加熱タンク、ｂは加熱タンクａ内に収納された加熱コイルであり、加熱コイルｂには蒸気供給管ｃから高温、高圧の加熱用蒸気ｄを供給して、レベルタンクｅから給水管ｆを介して加熱タンクａ内に送給された被加熱水ｇを加熱させて蒸発させ、蒸気を生成させ得るようになっており、加熱タンクａで発生した蒸気ｈは、蒸気送給管ｉから回収用ボックスｊの蒸気噴霧管ｋに送給されて噴霧され、冷却されて凝縮し、凝縮水ｌを生成させ得るようになっている。
【０００６】
又、上記中水利用設備に適用する蒸気生成装置としては、縦型のシェルアンドチューブ式の熱交換器がある。シェルアンドチューブ式の熱交換器の先行技術例としては、例えば、特許文献１、２に示すものがある。特許文献１は復水器に関するものであり、又、特許文献２は蒸気プラント用復水器の洗浄方法に関するものである。
【特許文献１】特開２０００−３１０４９３号公報
【特許文献２】特開平５−１２６４９２号公報
【発明の開示】
【発明が解決しようとする課題】
【０００７】
図７、図８に示す蒸気生成装置を中水利用設備に適用した場合には、加熱コイルｂは螺旋状であるため、加熱タンクａに貯留された雑排水中のスライム等は加熱コイルｂの外周面に付着し易く、従って、短期間で伝熱性能が低下するため、定期的且つ頻繁に加熱コイルｂ外周をブラシや化学薬品を用い洗浄して、加熱コイルｂ外周面に付着したスライムやスケールを除去し、伝熱性能を改善させる必要がある。
【０００８】
しかし、図７、図８に示す蒸気生成装置を中水利用設備に使用した場合には、被加熱水ｇとなる雑排水は加熱タンクａ内に貯留されており、貯留された被加熱水ｇを強制的に下部ドレンに導くことは考慮していないため、螺旋状の加熱コイルｂの外周に付着したスライム等を洗浄し除去した場合、スライム等は加熱タンクａ底部に堆積し、堆積したスライム等の処理を簡単且つ迅速に行なうことができない。
【０００９】
又、加熱タンクａで発生する蒸気は、ゲージ圧力が殆どない蒸気であり、加熱タンクａは特に耐圧力については留意されておらず、又、蒸気中の水分を除去する気液分離についても特に考慮されてはいない。
【００１０】
蒸気生成装置が縦型の熱交換器であって、伝熱管内に雑排水を通水するようにした場合には、雑排水中のスライム等が伝熱管内周面に付着し、伝熱性能の低下を招来するため、この場合には、例えば、伝熱管内にスポンジボールを送給して洗浄を行なうボール洗浄装置を用いることが考えられる。しかし、ボール洗浄装置を用いる場合は、余分な装置が必要となるため、設備費、運転維持費が高価となるうえ、洗浄作業も大掛かりとなる。
【００１１】
又、特許文献１では、伝熱管の洗浄については何等考慮を払っておらず、特許文献２では、冷却管の内周面をボール洗浄するようにしているため、ボール洗浄装置が必要となり、設備費、運転維持費が高価となるうえ、洗浄作業が大掛かりとなる。
【００１２】
本発明は上述の実情に鑑み、中水利用設備の蒸気生成装置として縦型の熱交換器を用い、伝熱管内に雑排水を送給して、低圧、低温の蒸気を生成させるようにした場合に、ボール洗浄装置のような装置を使用することなく、伝熱管内に付着したスライム等を洗浄により容易且つ迅速に除去すると共に、伝熱管から排出されたスライム等を容易且つ確実にしかも迅速に熱交換器外部へ排出し得るようにした蒸気生成装置を提供することを目的としてなしたものである。
【課題を解決するための手段】
【００１３】
請求項１の蒸気生成装置は、
複数の縦向きの伝熱管が収納された胴部と、
該胴部の下部に設けられると共に、蒸気生成時には前記伝熱管へ送給される雑排水が通り、且つ逆洗時には外部へ排出される雑排水及びスライムが通るようにした下部蓋体と、  前記胴部の上部に設けられると共に、蒸気生成時には前記胴部に導入された蒸気により伝熱管を介し加熱されて生成された蒸気が通り、且つ逆洗時には伝熱管へ送給されてスライムを除去するための洗浄用の蒸気が通るようにした上部蓋体とを備え、 
前記下部蓋体内には、複数の通水孔が穿設されたバッフルプレートを設けたものである。
【００１４】
請求項２の蒸気生成装置は、バッフルプレートと下部蓋体内周との間及び／又はバッフルプレートに、雑排水及び／又はスライムが通り得るようにした通水部を設けたものであり、請求項３の蒸気生成装置は、上部蓋体内に、伝熱管で加熱されて生成された蒸気中の水分を除去するための水分離器を設けたものであり、請求項４の蒸気生成装置は、上部蓋体内の雑排水の水面を目視するための透視管を設けたものである。
【発明の効果】
【００１５】
本発明の請求項１〜４記載の蒸気生成装置によれば、下記のごとき種々の優れた効果を奏し得る。
Ｉ）浴槽や手洗器で使用した後の雑排水を加熱して、低圧の蒸気を生成し熱媒として熱源装置で使用した後、凝縮水を中水として利用することができるため、この蒸気生成装置を使用することにより、ホテルのように大量に水を消費する施設での水の消費量を節減して省資源化を図ることができる。
ＩＩ）伝熱管内部を機能保持するべく逆洗することができるため、装置を分解しなくても、濃縮したスライム等を容易且つ確実に排出することができ、設備費や運転維持費が安価となる。
ＩＩＩ）伝熱管内に付着していたスライム等は、蒸気により強制的に剥離され、バッフルプレートの部分において、通水孔や通水部を通り排出されるため、ボール洗浄装置のような装置を使用しなくても、伝熱管内周部や下部蓋体内の洗浄を確実に行なうことができる。
ＩＶ）伝熱管内部の機能保持するべく、装置を分解せずに簡単に逆洗することができるため、胴部や蓋体を耐圧構造で製作することができ、従って、胴部に高圧蒸気を流せるのと同時に、二次側では吸収式冷凍機のような熱源を駆動できる圧力を有する蒸気を発生させることができる。
【発明を実施するための最良の形態】
【００１６】
以下、本発明の実施の形態を図示例と共に説明する。
図１〜図６は本発明を実施する形態の一例である。
而して、図６には、本発明の蒸気生成装置が用いられる中水利用設備における蒸気生成装置近傍のフロー図が示されている。図中、１は雑排水が貯留されるようにした雑排水貯水槽、２は縦型式熱交換器である本発明の蒸気生成装置である。浴槽や手洗器から排出された雑排水は中途部に電動弁３を備えた管路４から雑排水貯水槽１へ送給されるようになっており、雑排水貯水槽１に貯留された雑排水は、中途部に上流側から下流側へ向けて順次、インバータ制御可能な補給ポンプ５、膨張タンク６、開閉弁７、電動弁８を備えた管路９を介し蒸気生成装置２へ送給し得るようになっている。
【００１７】
蒸気生成装置２には、中途部に圧力制御弁１０を備えた管路１１から高温、高圧の蒸気を供給して、管路９から蒸気生成装置２へ送給された雑排水を加熱し、低温、低圧の蒸気を生成させ得るようになっており、蒸気生成装置２で生成した蒸気は、中途部に上流側から下流側へ向けて順次、圧力検出装置１２、減圧弁１３、逆止弁１４を備えた管路１５から一重効用吸収式冷凍機や貯湯槽へ送給し得るようになっている。又、蒸気生成装置２で雑排水を加熱することにより冷却されて生成された凝縮水は、中途部にスチームトラップ１６を設けた管路１７から熱交換器を介して中水槽へ送給されるようになっている。
【００１８】
雑排水貯水槽１には、雑排水が不足する等必要な場合に、中途部に開閉弁１８を備えた管路１９から上水を補給し得るようになっている。雑排水貯水槽１は、雑排水貯水槽１内の水面レベルを検出するための水面検出装置２０を備え、水面検出装置２０で検出した信号は制御装置２１へ与え得るようになっている。又、制御装置２１からは、水面検出装置２０で検出した雑排水貯水槽１内の水面レベルが上限に達した場合には、管路４に設けた電動弁３を閉止させ、下限に達した場合には電動弁３を開く弁開閉指令Ｖ１を出力し得るようになっている。
【００１９】
雑排水貯水槽１の底面には、中途部に電動弁２２を備えた管路２３が接続され、蒸気生成装置２に雑排水を送給する管路９の電動弁８よりも下流側部には、中途部に電動弁２４を備えた管路２５が接続されている。而して、管路２３からは、蒸気生成装置２の洗浄の際に雑排水貯水槽１から雑排水やスライム等を排出し得るようになっており、管路２５からは、蒸気生成装置２の洗浄の際に蒸気生成装置２から雑排水やスライム等を排出し得るようになっている。
【００２０】
管路１５には、減圧弁１３、逆止弁１４に対し並列となるよう、中途部に電動弁２６が設けられた管路２７が接続されており、蒸気生成装置２の逆洗時には、蒸気ボイラで生成されて減圧弁で所定の圧まで減圧された蒸気を管路１５，２７，１５から蒸気生成装置２へ送給し得るようになっている。
【００２１】
蒸気生成装置２の詳細は図１〜図５に示されている。すなわち、蒸気生成装置２は、図１に示すように縦型のシェルアンドチューブ式の熱交換器であり、中空円筒状の胴部２８と、胴部２８の上下部に配置された管板２９，３０と、上下端が管板２９，３０に穿設した支持孔に嵌入されて固定された多数の縦向きの伝熱管３１とを備えている。
【００２２】
胴部２８の上部側側部には、熱媒体として、伝熱管３１内を下方から上方へ送給される雑排水を加熱するためのボイラ蒸気を胴部２８内へ送給し得るよう、加熱蒸気入口管３２が接続されている。又、胴部２８の下部側側部には、伝熱管３１内の雑排水を加熱して低圧の蒸気を生成させたボイラ蒸気が凝縮することにより生成された凝縮水を排出するための凝縮水出口管３３が接続されている。加熱蒸気入口管３２には管路１１が接続され、凝縮水出口管３３には管路１７が接続されている。
【００２３】
管板３０の下部には、お椀状の下部蓋体３４が設けられ、下部蓋体３４の下面には、管路９からの雑排水を伝熱管３１内に送給し得るよう、接続管３５が固設されている。接続管３５は、蒸気生成装置２の逆洗時には雑排水や濃縮したスライム等の排出管としても使用し得るようになっている。
【００２４】
下部蓋体３４内には、バッフルプレート３６が、ステイ４８に支持されて管板３０の下方に位置するよう、設置されている。バッフルプレート３６は接続管３５から下部蓋体３４内に導入された雑排水を各伝熱管３１に均等に分配するためのもので、多数の通水孔３６ａが穿設されている。又、バッフルプレート３６の外周と下部蓋体３４内周との間には、蒸気生成装置２の逆洗時にスライム等を円滑に接続管３５から管路９へ排出し得るよう、隙間Ｇが形成されている。
【００２５】
管板２９の上部には、湯飲み茶碗を上下逆にした形状の上部蓋体３７が設けられ、上部蓋体３７の頂部には、伝熱管３１内で蒸発して生成された蒸気を取出すための接続管３８が設けられている。蒸気生成装置２の逆洗時には、接続管３８は逆洗用の蒸気の送給管としても使用し得るようになっている。接続管３８の下端は上部蓋体３７内に挿入されており、接続管３８の下端には、図４、図５に示すように、複数の水抜き孔３９ａが形成されたお椀型で且つ接続管３８よりも大径の水分離器３９が、ステイ４０を介して取付けられている。
【００２６】
上部蓋体３７の側面には、細径接続管４１，４２を介して水面検出装置４３が接続されており、水面検出装置４３で検出した、蒸気生成装置２の下部蓋体３４内及び伝熱管３１内並びに上部蓋体３７内を満たす雑排水の水面レベルの信号は、図６に示す制御装置２１へ与え得るようになっている。
【００２７】
制御装置２１からは、水面検出装置４３で検出した水面レベルが上限に達した場合には、開閉弁７を閉止させ、下限に達した場合には開閉弁７を開く弁開閉指令Ｖ２を出力し得るようになっている。又、開閉弁７が閉止して、管路９の開閉弁７よりも上流側において、膨張タンク６に取付けたプレッシャスイッチ４４により検出された圧力が所定の圧力に達した場合には、制御装置２１から補給ポンプ５へ回転数を減少させるよう、回転数制御指令Ｖ３を与え得るようになっている。なお、図１中、４５，４６は水面レベル目視用のガラス管４７を接続するための細径接続管である。
【００２８】
圧力検出装置１２により検出された蒸気の圧力が所定の圧力よりも低い場合には圧力制御弁１０を開き、所定の圧力よりも高い場合には圧力制御弁１０を閉止するよう、制御装置２１から圧力制御弁１０へ弁開閉指令Ｖ４を与え得るようになっている。
【００２９】
又、雑排水を雑排水貯水槽１から蒸気生成装置２へ送給して蒸気を生成させる通常の運転を行う場合には、電動弁８を開き、電動弁２２，２４，２６を閉止し、蒸気生成装置２の逆洗を行なう場合には、タイマにより設定された時間の間、電動弁８を閉止し、電動弁２２，２４，２６を開くよう、制御装置２１から電動弁８，２２，２４，２６へ弁開閉指令Ｖ５を与え得るようになっている。蒸気生成装置２の逆洗時に電動弁２２を開くのは、雑排水貯水槽１の雑排水を抜いて雑排水貯水槽１内のスライム等を除去するためである。この洗浄例は、例えばホテルの場合客室に客が不在の時間帯において１日に１度設定し、蒸気生成装置２及び雑排水貯水槽１内の濃縮されたスライム等を排出することで、次に発生する雑排水の受入れに備えるものである。
【００３０】
更に、蒸気生成装置２の逆洗が終了して雑排水の雑排水貯水槽１への送給が再開されてから一定時間経過しても、雑排水貯水槽１の水面が上限に達しない場合には、制御装置２１からの弁開閉指令Ｖ６により開閉弁１８が開き、雑排水貯水槽１へ管路１９から上水を補給し得るようになっている。
【００３１】
次に、上記図示例の作動を説明する。
Ｉ）雑排水を雑排水貯水槽１から蒸気生成装置２へ送給して蒸気を生成させる通常の運転を行う場合。
この場合には、電動弁８は開き、電動弁２２，２４，２６は閉止している。
浴槽及び手洗器から排出された雑排水は、雑排水貯水槽１内の水面のレベルが上限にない場合には、水面検出装置２０からの信号を基に制御装置２１から与えられた弁開閉指令Ｖ１により電動弁３が開いているため、管路４から電動弁３を通り雑排水貯水槽１へ送給されて貯留される。しかし、雑排水貯水槽１内の水面のレベルが上限に達している場合には、水面検出装置２０からの信号を基に制御装置２１から与えられた弁開閉指令Ｖ１により電動弁３は閉止しているため、浴槽及び手洗器から排出された雑排水は、図示してない管路から屋外設備へ排出される。又、雑排水貯水槽１の雑排水は図示してない濾過装置へ送給されて濾過されると共に、薬注装置から薬液が注入されて殺菌、ｐＨ調整等の処理が行われる。
【００３２】
蒸気生成装置２内の雑排水の水面のレベルが上限に達していない場合には、水面検出装置４３の信号を基に制御装置２１からの弁開閉指令Ｖ２により管路９の開閉弁７は開いているため、雑排水貯水槽１の雑排水は、補給ポンプ５により管路９から開閉弁７、電動弁８を経て蒸気生成装置２の下部蓋体３４内へ送給され、バッフルプレート３６の通水孔３６ａ及び隙間Ｇを通り、各伝熱管３１内へ略均等に流入し、蒸気生成装置２において、下部蓋体３４及び伝熱管３１並びに上部蓋体３７内に貯留された状態となる。而して、蒸気生成装置２の伝熱管３１から上部蓋体３７内に貯留された雑排水は、蒸気ボイラで生成されて管路１１、圧力制御弁１０を経て送給された高温、高圧の蒸気により加熱され、低圧の蒸気が生成される。又、蒸気生成装置２において雑排水を加熱した蒸気は冷却されて凝縮水となり、管路１７へ送出される。
【００３３】
一方、蒸気生成装置２内の雑排水の水面のレベルが上限に達している場合には、水面検出装置４３からの信号を基に制御装置２１から与えられた弁開閉指令Ｖ２により開閉弁７は閉止するため、雑排水貯水槽１からの雑排水は蒸気生成装置２へ送給されず、膨張タンク６に吸収される。又、同時に管路９内の開閉弁７よりも上流側の部分における圧力が上昇するが、プレッシャスイッチ４４により検出された圧力信号を基に制御装置２１から補給ポンプ５に与えられた回転数制御指令Ｖ３により補給ポンプ５の回転数が低下、若しくは停止する。このため、補給ポンプ５からの雑排水の送給は停止される。なお、補給ポンプ５は回転数を制御せずに、補給ポンプ５の吐出側に、雑排水を雑排水貯水槽１へ戻す循環管路を設けるようにしても良い。
【００３４】
上述のように、蒸気生成装置２で高圧の蒸気により雑排水が加熱されて蒸発することにより生成された低圧の蒸気は、上部蓋体３７内において、図５に示すごとく水分離器３９により下向きに反転し、更に上向きに反転して接続管３８から管路１５へ導入され、管路１５を経て減圧弁１３で減圧され、一重効用吸収式冷凍機や貯湯槽へ送給される。蒸気中の水分は、水分離器３９において蒸気が下向きから上向きに反転する際に遠心力により分離され、水抜き孔３９ａから、上部蓋体３７内に貯留されている雑排水中へ戻る。圧力検出装置１２により検出された管路１５中の圧力が所定の圧力よりも高い場合には、制御装置２１から圧力制御弁１０に弁開閉指令Ｖ４が与えられ、圧力制御弁１０は閉じ勝手に調整される。このため、蒸気生成装置２の加熱蒸気の供給量は減少し、生成される低圧の蒸気は所定の圧力に戻る。
【００３５】
一方、図示してない蒸気ボイラからの高温、高圧の蒸気は、管路１１から圧力制御弁１０を通って蒸気生成装置２の胴部２８内へ送給され、伝熱管３１を介し雑排水を加熱して低圧の蒸気を生成させ、凝縮して凝縮水となり、管路１７からスチームトラップ１６を経て図示してない熱交換器へ送給され、熱交換器において、中水槽から送給された中水を加熱し、且つ中水槽へ送給される。
【００３６】
ＩＩ）蒸気生成装置２の逆洗を行う場合。
蒸気生成装置２の逆洗は、例えばホテルの場合、午後のチェックイン開始時刻前等の中水消費量の少ない時間帯に行われる。すなわち、一日の所定の時間になると、制御装置２１からの弁開閉指令Ｖ５により電動弁８は閉止し他の電動弁２２，２４，２６は開く。このため、雑排水貯水槽１中の雑排水は蒸気生成装置２へは送給されず、管路２３を通って下流側へ排出される。この際、雑排水貯水槽１の底部に溜まっていたスライム等も排出される。なお、電動弁３は弁開閉指令Ｖ１により閉止しておく。
【００３７】
一方、図示してない蒸気ボイラから送出され減圧されて送給された蒸気は、管路１５、電動弁２６を備えた管路２７を経て管路１５を通り、接続管３８を経て蒸気生成装置２の上部蓋体３７内に送給され、上部蓋体３７から各伝熱管３１内に導入され、各伝熱管３１内から下部蓋体３４内に送給される。
【００３８】
この際、上部蓋体３７、伝熱管３１、下部蓋体３４内に溜まっている雑排水は蒸気により押出されて、管路９へ排出され、管路９から電動弁２４が設けられた管路２５を通り下流側へ排出され、又、伝熱管３１内周壁に付着していたスライム等は下方へ流れる雑排水や蒸気により剥離され、バッフルプレート３６と下部蓋体３４との間の隙間Ｇ又はバッフルプレート３６の通水孔３６ａを通り排出され、下部蓋体３４内底部に溜まっていたスライム等も雑排水と共に排出され、蒸気生成装置２の洗浄が行われる。
【００３９】
タイマにより設定された所定の時間が経過すると、制御装置２１からは弁開閉指令Ｖ５が出力されて電動弁８は開き、電動弁２２，２４，２６は閉止して逆洗が終了する。又、弁開閉指令Ｖ１により電動弁３が開くと、再び管路４から雑排水貯水槽１への雑排水の送給が開始される。而して、雑排水の雑排水貯水槽１への送給が開始されてから一定時間経過しても、雑排水貯水槽１の水面が上限に達しない場合には、制御装置２１からの弁開閉指令Ｖ６により開閉弁１８が開き、雑排水貯水槽１へ管路１９から上水が補給される。
【００４０】
本図示例の蒸気生成装置２においては、浴槽や手洗器で使用した後の雑排水を加熱して、低圧の蒸気を生成し熱媒として熱源装置で使用した後、凝縮水を中水として利用することができるため、この蒸気生成装置を使用することにより、ホテルのように大量に水を消費する施設での水の消費量を節減して省資源化を図ることができる。
【００４１】
又、蒸気生成装置２は機能保持するべく逆洗することができるため、蒸気生成装置２を分解しなくても、濃縮したスライム等を容易且つ確実に排出することができ、設備費や運転維持費が安価となる。
【００４２】
更に、蒸気生成装置２の伝熱管３１内に付着していたスライム等は、蒸気により強制的に剥離され、バッフルプレート３６と下部蓋体３４との間の隙間Ｇ又はバッフルプレート３６の通水孔３６ａを通り排出されるため、ボール洗浄装置のような装置を使用しなくても、伝熱管３１内周面や下部蓋体３４内の洗浄を確実に行なうことができる。又更に、伝熱管内部の機能保持するべく、装置を分解せずに簡単に逆洗することができるため、胴部や蓋体を耐圧構造で製作することができ、従って、胴部に高圧蒸気を流せるのと同時に、二次側では吸収式冷凍機のような熱源を駆動できる圧力を有する蒸気を発生させることができる。
【００４３】
なお、本発明の蒸気生成装置は、上述の図示例にのみ限定されるものではなく、本発明の要旨を逸脱しない範囲内において種々変更を加え得ることは勿論である。
【図面の簡単な説明】
【００４４】
【図１】本発明の蒸気生成装置の一部破断の立面図である。
【図２】図１の下部蓋体の部分の拡大断面図である。
【図３】図２のＩＩＩ−ＩＩＩ方向矢視図である。
【図４】図１のＩＶ−ＩＶ方向矢視図である。
【図５】図４のＶ−Ｖ方向矢視図である。
【図６】本発明の蒸気生成装置が適用される中水利用設備の雑排水貯水槽及び蒸気生成装置の近傍のフロー図である。
【図７】従来の蒸気生成装置の概要を示すフロー図である。
【図８】従来の蒸気生成装置の概要を示す鳥瞰図である。
【符号の説明】
【００４５】
２  蒸気生成装置
２８  胴部
３１  伝熱管
３４  下部蓋体
３６  バッフルプレート
３６ａ        通水孔
３７  上部蓋体
３９  水分離器
４７  ガラス管（透視管）
Ｇ  隙間（通水部）
【図１】
2005274034.tif 000003
【図２】
2005274034.tif 000004
【図３】
2005274034.tif 000005
【図４】
2005274034.tif 000006
【図５】
2005274034.tif 000007
【図６】
2005274034.tif 000008
【図７】
2005274034.tif 000009
【図８】
2005274034.tif 000010